(57)【要約】 【課題】支柱の長さ固定を、支柱を損傷することなく簡易且つ確実に行うことができると共に、幟の上部を支持する支持バーを支柱の上端部に簡易且つ確実に固定し得る、取扱い性に優れた幟竿を提供する。【解決手段】外支柱部２内に内支柱部３をスライド可能に挿入し、設定された支柱長さを支柱固定具６で固定可能とする。支柱の上端部に、幟９の上部を支持する支持バー１１を支持バー固定具１２で固定可能とする。支柱固定具６は、上下方向に回動可能な側部レバー１６を有し、該側部レバーを垂下状態に倒すことにより、押圧係合部４２で押された押圧片２２が内支柱部３を押圧する。支持バー固定具１２は、上下方向に回動する上部レバー７１を有し、該上部レバー７が下向きに回動して倒れた状態で、その押圧突部８６が支持バー１１の上面部を押圧する。【選択図】図１
0003143945.tif 000002
【実用新案登録請求の範囲】
【請求項１】
パイプ状の外支柱部内にパイプ状の内支柱部をスライド可能に挿入してなる支柱を具え、該内支柱部の所要のスライドにより設定された支柱長さを支柱固定具により固定可能となされると共に、該内支柱部の上端部には、幟の上部を支持する支持バーが支持バー固定具を介して固定状態に設けられており、
前記支柱固定具は、前記外支柱部の上端部分に固着され且つ上下貫通した挿通孔を有する筒体に、上下方向に回動可能な側部レバーが枢着されたものであって、該筒体は、その後壁部の上側部分に開口が設けられ、該開口に配設された押圧片の縁部分の所要部位が、該開口の縁部に連結部を介して連結されており、該押圧片は、該連結部を支点にして前記筒体の内方に向けて弾性的に回動可能となされており、又該筒体は、軸受突部が後方に突設され、該軸受突部に支持された枢軸により前記側部レバーの基端部が回動可能に枢着され、該側部レバーの該基端部には、前記押圧片の後面を押圧する押圧係合部が設けられ、該側部レバーが前記支柱の外面に近接するように回動した倒れた状態で、該押圧係合部が前記押圧片の後面を押圧して該押圧片が前記内支柱部の後面部を押圧し、押圧状態で、前記内支柱部が前記外支柱部に固定される一方、該側部レバーを前記支柱の外面から離れるように上向きに回動させることによって該押圧係合部による前記押圧片の、前記内支柱部の押圧状態が解除され、前記内支柱部が前記外支柱部に対してスライド自在となるように構成されており、
又前記支持バー固定具は、前記支持バーを横方向に挿通させる挿通孔部が貫設されると共に、該挿通孔部の上側に位置させて、横方向に延長する嵌入溝部が設けられており、該嵌入溝部の溝底に、前記挿通孔部に連通する開口部が設けられており、該嵌入溝部には、上下方向に回動可能な上部レバーが配設され、該上部レバーの基端部が、該嵌入溝部の両側壁部に、上下方向に回動可能に枢着され、該上部レバーの基端部には、前記挿通孔部に挿通されている前記支持バーの上面部を前記開口部において押圧する押圧係合部が設けられ、該上部レバーが下向きに回動して倒れた状態で、該押圧係合部が前記上面部を押圧して、前記支持バーが前記挿通孔部の下端部に固定され、該上部レバーを上向きに回動させることによって該押圧係合部による前記支持バーの押圧状態が解除されることを特徴とする幟竿。
【請求項２】
パイプ状の外支柱部内にパイプ状の内支柱部をスライド可能に挿入してなる支柱を具え、該内支柱部の所要のスライドにより設定された支柱長さを支柱固定具により固定可能となされると共に、該内支柱部の上端部には、幟の上部を支持する支持バーが支持バー固定具を介して固定状態に設けられており、
前記支柱固定具は、前記外支柱部の上端部分に固着され且つ上下貫通した挿通孔を有する筒体に、上下方向に回動可能な側部レバーが枢着されたものであって、該筒体は、その後壁部の上側部分に開口が設けられ、該開口に配設された押圧片の下端が、該開口の下端縁部に連結部を介して連結されており、該押圧片は、該連結部を支点にして前記筒体の内方に向けて弾性的に回動可能となされており、又該筒体は、軸受突部が後方に突設され、該軸受突部に支持された枢軸により前記側部レバーの基端部が回動可能に枢着され、該側部レバーの該基端部には、前記押圧片の後面を押圧する押圧係合部が設けられ、該側部レバーが前記支柱の外面に近接するように下向きに回動した倒れた状態で、該押圧係合部が前記押圧片の後面を押圧して該押圧片が前記内支柱部の後面部を押圧し、該押圧状態で、前記内支柱部が前記外支柱部に固定される一方、該側部レバーを前記支柱の外面から離れるように上向きに回動させることによって該押圧係合部による前記押圧片の、前記内支柱部の押圧状態が解除され、前記内支柱部が前記外支柱部に対してスライド自在となるように構成されており、
又前記支持バー固定具は、前記支持バーを横方向に挿通させる挿通孔部が貫設されると共に、該挿通孔部の上側に位置させて、横方向に延長する嵌入溝部が設けられており、該嵌入溝部の溝底に、前記挿通孔部に連通する開口部が設けられており、該嵌入溝部には、上下方向に回動可能な上部レバーが配設され、該上部レバーの基端部が、該嵌入溝部の両側壁部に、上下方向に回動可能に枢着され、該上部レバーの基端部には、前記挿通孔部に挿通されている前記支持バーの上面部を前記開口部において押圧する押圧係合部が設けられ、該上部レバーが下向きに回動して倒れた状態で、該押圧係合部が前記上面部を押圧して、前記支持バーが前記挿通孔部の下端部に固定され、該上部レバーを上向きに回動させることによって該押圧係合部による前記支持バーの押圧状態が解除されることを特徴とする幟竿。
【請求項３】
前記上部レバーが倒れた状態で、前記支持バー固定具の上面が球形状を呈することを特徴とする請求項１又は２記載の幟竿。
【考案の詳細な説明】
【技術分野】
【０００１】
本考案は幟竿に関するものである。より詳しくは、外支柱部内に内支柱部がスライド可能に挿入されてなり、設定された支柱長さを、支柱を損傷することなく簡易且つ確実に固定可能となされると共に、幟の上部を支持する支持バーを、支柱の上端部に簡易且つ確実に取り付け可能となされることによって、取扱性が向上された幟竿に関するものである。
【背景技術】
【０００２】
伸縮可能であり所要長さに設定された支柱ａの長さをレバーｂを回動操作して固定可能となされると共に、幟ｃの上部ｄを支持する支持バーｅを該支柱ａの上端部ｆに取り付けるように構成された幟竿の一例として、特開２００４−３１７９７２号公報（特許文献１）が開示する図１９〜２０、図２４に示す幟竿ｇが存する。該幟竿ｇの構成をより詳しく説明すれば次のようである。
【０００３】
即ち、該幟竿ｇは、外支柱部ｈ内に内支柱部ｊがスライド可能に挿入されると共に、該内支柱部ｊの所要のスライドによって設定された支柱長さを固定具ｋで固定可能となされている。そして該固定具ｋは図２０に示すように、前記外支柱部ｈの上端部分ｍに固着され且つ上下貫通した挿通孔を有する筒体ｎに、上下方向に回動可能なレバーｂが枢着された構成を有している。該筒体ｎは、図２１に示すように、その後壁部ｑの上側部分に開口ｒが設けられ、該開口ｒの下側をなす下筒部ｓとその上側をなす上筒部ｔとに分かれており、該上筒部ｔの前記開口ｒの左右側部には、軸受突部ｕ，ｕが後方に突設されている。又、該開口ｒの下側をなす前記下筒部ｓは、図２０に示すように、その挿通孔ｖに、前記外支柱部ｈの上端部分ｍが窮屈に挿入可能となされ、これにより前記筒体ｎが外支柱部ｈに固着可能となされている。又、前記上筒部ｔの挿入孔ｃ１には、図２０に示すように、前記内支柱部ｊを挿通可能となされている。
【０００４】
又前記レバーｂは、図２０に示すように、くの字状に屈曲しており、その基端の円柱状部ｄ１が、前記左右の軸受突部ｕ，ｕで支持された枢軸ｅ１により回動可能に枢着されている。そして該円柱状部ｄ１には、垂下状態を呈するようにレバーｂが下向きに一杯に回動せしめられた状態で前記内支柱部ｊの後面部ｆ１を図２０（Ｂ）に示すように押圧する押圧係合部ｇ１が、突設されており、該押圧状態において、内支柱部ｊが外支柱部ｈに固定される。この状態からレバーｂを上向きに回動させると、図２０（Ａ）に示すように、該押圧係合部ｇ１による内支柱部ｊの押圧状態が解除され、内支柱部ｊが外支柱部ｈに対してスライド自在となる。
【０００５】
又、前記支柱ａの上端部ｆに対する前記支持バーｅの取り付け手段としては、前記特許文献１が開示するような、支持バーｅを支柱ａの軸線回りに回動しないように取り付ける手段も提供されているが、一般的には図２２〜２３に示すように、該支持バーｅを支柱ａの上端部ｆに回転支持具ｈ１を介して取付け、幟ｃが風を受けた場合に該支持バーｅが支柱ａの軸線回りに回転可能となされていた。
【０００６】
そして該回転支持具ｈ１は、例えば図２２〜２３に示すように、下の挾持部材ｊ１と上の挾持部材ｋ１とから構成されていた。該下の挾持部材ｊ１は、上側部分に雄ネジ部ｍ１が設けられた上端開放のネジ筒部ｎ１の下面中央部に、前記支柱の上端部分に挿入される軸部ｐ１が突設されており、該軸部ｐ１が、該支柱ａの上端部分ｆの内周面ｑ１に弾性的に圧接される断面Ｃ字状の保持筒ｒ１内に遊挿された状態となされ、該保持筒ｒ１を介して該軸部ｐ１が支柱ａの軸線回りに回転可能となされていた。そして、該ネジ筒部ｎ１の下端側には、前記支持バーｅを横方向（水平方向）に挿通させる挿通孔部ｓ１が設けられていた。
【０００７】
一方、前記上の挾持部材ｋ１は、図２２〜２３に示すように、下端が開放したキャップ状に形成されており、その内周面に設けられた雌ネジ部ｔ１が前記ネジ筒部ｎ１の雄ネジ部ｍ１に螺合されて締め付けられることにより、前記挿通孔部ｓ１に挿通状態にある前記支持バーｅを、図２３に示すように、該挿通孔部ｓ１の下端部ｕ１に向けて押圧可能となされていた。
【０００８】
かかる構成を有する従来の幟竿ｇにあっては次のような問題点があった。
(1) 支柱長さを固定する前記固定具を用いることによる問題点について
前記のようにレバーｂを下向きに回動させた際、該レバーに設けられている前記押圧係合部ｇ１が、前記内支柱部ｊの後面部ｆ１を、該レバーｂの回動に伴い擦るようにして直接押圧する。かかることから、該内支柱部ｊが強い押圧力で擦られて損傷される問題があった。特に該内支柱部ｊが、鋼管製のパイプの表面を樹脂被覆してなる樹脂被覆パイプである場合は、この被覆された樹脂が、該押圧係合部で擦られて捲れる等の損傷を受け易く、その結果、該内支柱部ｊが腐食して強度低下を招く問題があった。
【０００９】
(2) 回転支持具による支持バーの取り付け状態に関しての問題点
回転支持具ｈ１に支持バーｅを取り付けるに際しては、前記のように、前記上の挾持部材ｋ１を緩めた状態で、前記挿通孔部ｓ１に支持バーｅを所要の挿通状態とし、その後、該上の挾持部材ｋ１を締め付けることにより該支持バーｅを挿通孔部ｓ１の下端部ｕ１に向けて押圧するのであるが、前記のように軸部ｐ１が内支柱部ｊに対して回転できることから、そのままの状態では上の挾持部材ｋ１を締め付けることができない。従って、該上の挾持部材ｋ１を締め付ける際は、前記支持バーｅを片方の手で掴んだ状態で他方の手で上の挾持部材ｋ１を締め付ける必要がある等、支持バーｅの取り付け作業に面倒さが伴った。又、上の挾持部材ｋ１の締め付けが不十分であると、ネジの緩みによって支持バーｅの取り付け状態が不安定化しやすい問題があった。
【００１０】
【特許文献１】特開２００４−３１７９７２号公報
【考案の開示】
【考案が解決しようとする課題】
【００１１】
本考案は、前記従来の問題点に鑑みて開発されたものであり、所要長さに設定された支柱をその長さで固定するに際し、支柱を損傷することなく簡易な操作で確実に固定できると共に、幟の上部を支持する支持バーを支柱の上端部に取り付けるに際し、その取付けを簡易な操作によって確実に固定可能として、取扱い性に優れた幟竿の提供を課題とするものである。
【課題を解決するための手段】
【００１２】
前記課題を解決するため本考案は以下の手段を採用する。
即ち、本考案に係る幟竿は、パイプ状の外支柱部内にパイプ状の内支柱部をスライド可能に挿入してなる支柱を具え、該内支柱部の所要のスライドにより設定された支柱長さを支柱固定具により固定可能となされると共に、該内支柱部の上端部には、幟の上部を支持する支持バーが支持バー固定具を介して固定状態に設けられている。前記支柱固定具は、前記外支柱部の上端部分に固着され且つ上下貫通した挿通孔を有する筒体に、上下方向に回動可能な側部レバーが枢着されたものであって、該筒体は、その後壁部の上側部分に開口が設けられ、該開口に配設された押圧片の縁部分の所要部位が、該開口の縁部に連結部を介して連結されており、該押圧片は、該連結部を支点にして前記筒体の内方に向けて弾性的に回動可能となされており、又該筒体は、軸受突部が後方に突設され、該軸受突部に支持された枢軸により前記側部レバーの基端部が回動可能に枢着され、該側部レバーの該基端部には、前記押圧片の後面を押圧する押圧係合部が設けられ、該側部レバーが前記支柱の外面に近接するように回動した倒れた状態で、該押圧係合部が前記押圧片の後面を押圧して該押圧片が前記内支柱部の後面部を押圧し、該押圧状態で、前記内支柱部が前記外支柱部に固定される一方、該側部レバーを前記支柱の外面から離れるように上向きに回動させることによって該押圧係合部による前記押圧片の、前記内支柱部の押圧状態が解除され、前記内支柱部が前記外支柱部に対してスライド自在となるように構成されている。又前記支持バー固定具は、前記支持バーを横方向に挿通させる挿通孔部が貫設されると共に、該挿通孔部の上側に位置させて、横方向に延長する嵌入溝部が設けられており、該嵌入溝部の溝底に、前記挿通孔部に連通する開口部が設けられており、該嵌入溝部には、上下方向に回動可能な上部レバーが配設され、該上部レバーの基端部が、該嵌入溝部の両側壁部に、上下方向に回動可能に枢着され、該上部レバーの基端部には、前記挿通孔部に挿通されている前記支持バーの上面部を前記開口部において押圧する押圧係合部が設けられ、該上部レバーが下向きに回動して倒れた状態で、該押圧係合部が前記上面部を押圧して、前記支持バーが前記挿通孔部の下端部に固定され、該上部レバーを上向きに回動させることによって該押圧係合部による前記支持バーの押圧状態が解除されることを特徴とするものである。
【００１３】
本考案に係る幟竿のより好ましい態様は、パイプ状の外支柱部内にパイプ状の内支柱部をスライド可能に挿入してなる支柱を具え、該内支柱部の所要のスライドにより設定された支柱長さを支柱固定具により固定可能となされると共に、該内支柱部の上端部には、幟の上部を支持する支持バーが支持バー固定具を介して固定状態に設けられている。前記支柱固定具は、前記外支柱部の上端部分に固着され且つ上下貫通した挿通孔を有する筒体に、上下方向に回動可能な側部レバーが枢着されたものであって、該筒体は、その後壁部の上側部分に開口が設けられ、該開口に配設された押圧片の下端が、該開口の下端縁部に連結部を介して連結されており、該押圧片は、該連結部を支点にして前記筒体の内方に向けて弾性的に回動可能となされており、又該筒体は、軸受突部が後方に突設され、該軸受突部に支持された枢軸により前記側部レバーの基端部が回動可能に枢着され、該側部レバーの該基端部には、前記押圧片の後面を押圧する押圧係合部が突設され、該側部レバーが前記支柱の外面に近接するように下向きに回動した倒れた状態で、該押圧係合部が前記押圧片の後面を押圧して該押圧片が前記内支柱部の後面部を押圧し、該押圧状態で、前記内支柱部が前記外支柱部に固定される一方、該側部レバーを前記支柱の外面から離れるように上向きに回動させることによって該押圧係合部による前記押圧片の、前記内支柱部の押圧状態が解除され、前記内支柱部が前記外支柱部に対してスライド自在となるように構成されている。又前記支持バー固定具は、前記支持バーを横方向に挿通させる挿通孔部が貫設されると共に、該挿通孔部の上側に位置させて、横方向に延長する嵌入溝部が設けられており、該嵌入溝部の溝底に、前記挿通孔部に連通する開口部が設けられており、該嵌入溝部には、上下方向に回動可能な上部レバーが配設され、該上部レバーの基端部が、該嵌入溝部の両側壁部に、上下方向に回動可能に枢着され、該上部レバーの基端部には、前記挿通孔部に挿通されている前記支持バーの上面部を前記開口部において押圧する押圧係合部が設けられ、該上部レバーが下向きに回動して倒れた状態で、該押圧係合部が前記上面部を押圧して、前記支持バーが前記挿通孔部の下端部に固定され、該上部レバーを上向きに回動させることによって該押圧係合部による前記支持バーの押圧状態が解除されることを特徴とするものである。
【００１４】
前記の各幟竿において、前記上部レバーが倒れた状態で、前記支持バー固定具の上面が球形状を呈するように構成するのが好ましい。
【考案の効果】
【００１５】
本考案は以下の如き優れた効果を奏する。
(1) 本考案に係る幟竿によるときは、設定された支柱長さを支柱固定具により固定可能とするに際し、該支柱固定具を構成する側部レバーを、これが倒れる方向に回動操作することによって支柱長さを固定できる。又、幟の上部を支持する支持バーを支持バー固定具を介して支柱の上端部に固定するに際し、該支持バー固定具を構成する上部レバーを上下方向に回動可能とし、該上部レバーを倒れる方向に回動操作することによって該支持バーを支柱の上端部に固定できる。又、該側部レバーや該上部レバーを起すことにより、これらの係合状態を解除できる。
このように本考案によるときは、支柱の長さの設定とその固定、支持バーの固定を、ワンタッチロック操作で簡易且つ確実に行うことができる利点がある。そして該支柱固定具に関して言えば、前記側部レバーの回動によるロック作用は、内支柱部の後面部を直接擦る状態で押圧して得るのではなく、弾性的に傾動し得る押圧片を介して該後面部を押圧して得ることとしている。従って本考案によるときは、内支柱部を損傷することなくロック作用を得ることができる。
かかることから本考案によるときは、支柱を損傷することがなく、しかも取扱い性に優れた幟竿を提供できることになる。
【００１６】
(2) 特に、前記支柱固定具を構成する側部レバーが下向きに回動して垂下した状態で前記支柱固定作用が得られるように構成するときは、支持バー固定具を、幟の側部ループ片に通しやすい利点がある。又、前記支持バー固定具の上部を球形状に構成する場合は、該支持バー固定具を前記側部ループ片に引っ掛かりなく容易に通すことができる。
これらによって、幟竿に対する幟の取り付けの容易化を達成できることとなる。
【実施例１】
【００１７】
図１において本考案に係る幟竿１は、円形パイプ状を呈する外支柱部２内に円形パイプ状を呈する内支柱部３をスライド可能に挿入してなる支柱５を具え、該内支柱部３の所要のスライドによる設定された支柱長さを支柱固定具６により固定可能となされると共に、該内支柱部３の上端部７には、幟９の上部１０を支持する支持バー１１が支持バー固定具１２を介して固定状態に設けられている。
【００１８】
前記支柱固定具６は、例えばポリプロピレン製であり、図２〜４に示すように、前記外支柱部２の上端部分１３に固着され且つ上下貫通した挿通孔１４を有する筒体１５に、上下方向に回動可能な側部レバー１６を枢着した構成を有している。該筒体１５は、図３に示すように、その後壁部１７の上側部分に開口１９が設けられ、該開口１９の下側をなす円筒状の下筒部２０と、その上側をなす円筒状の上筒部２１とに分かれている。そして該開口１９には押圧片２２が配設され、該押圧片２２の下端中央部位２３が、該開口１９の下端縁部２５に連結部２６を介して連結されており、該押圧片２２は該連結部２６を支点にして前記筒体１５の内方に向けて弾性的に傾動可能となされている。該押圧片２２は、本実施例においては図３（Ｂ）に示すように、矩形板状を呈しており、後面２７（図３（Ａ））が垂直面を呈し、且つ前面２９が、前記内支柱部３の後面部（円形の周面）３０に図７に示すように当接し得る円弧面２９ａとして形成されている。そして、該押圧片２２の両側縁部分３１，３１は円弧状面に形成されている。
【００１９】
又、前記上筒部２１の前記開口１９の左右の側部には軸受突部３２，３２が後方に突設されている。そして、該開口１９の下側をなす前記下筒部２０は、図４に示すように、その挿通孔３３に、前記外支柱部２の上端部分１３が窮屈に圧入可能となされ、これにより筒体１５が外支柱部２に固着可能となされている。本実施例においては該下筒部２０内に、前記上端部分１３を挿入させる際の挿入量を一定に規制するために、図４に示すように、前記下筒部２０の内面３５に、前記開口１９の稍下側に位置させて、前記外支柱部２の上端３６と当接する段部３７を設け、該下筒部２０の内面３５を該段部３７を介して前記上筒部２１の内面３８に連設させている。又、前記上筒部２１の挿入孔３９には、図５に示すように、前記内支柱部３を略密接状態で挿通可能となされている。
【００２０】
前記側部レバー１６は、図３（Ａ）に示すように、前記筒体１５の長さに略等しい長さを有する、正面視で上下に稍長い矩形板状を呈しており、その基端部の円柱状部４０が、前記左右の軸受突部３２，３２で支持された枢軸４１により回動可能に枢着されている。そして、該円柱状部４０には押圧係合部４２が突設されている。該押圧係合部４２は、図６に示すように、前記側部レバー１６が前記支柱５の外面に近接するように下向きに一杯に回動せしめられて垂下した状態で、前記押圧片２２の後面２７を前記内支柱部３に向けて押圧し、該押圧状態で、図７に示すように、前記前面２９（円弧面２９ａ）が前記内支柱部３の後面部３０に面接触の押圧状態となり得る。該押圧係合部４２は、本実施例においては図３（Ａ）に示すように、横断面が半円弧状を呈して前記円柱状部４０の軸線方向に延長する突条として形成されている。そして、該側部レバー１６の上端４３は、前記垂下状態で、図８に示すように円弧面に形成されている。
【００２１】
該側部レバー１６を下向きに回動させるに伴い、図６に示すように、前記押圧係合部４２の半円弧状の周面４５が前記押圧片２２の後面２７を徐々に押圧していき、図７に示すように、該側部レバー１６が垂下状態を呈するように下向きに一杯に回動せしめられた状態で（この垂下状態で、該側部レバー１６の外面４６は垂直面を呈する）、該押圧係合部４２に押圧された前記押圧片２２の前面２９（円弧面２９ａ）が前記内支柱部３の後面部（円弧面）３０を押圧する。本実施例においては、前記押圧片２２の前面２９（円弧面２９ａ）の湾曲が大きくなるように押圧片２２が弾性変形して前記後面部３０を押圧する。なお、該押圧片２２の両側縁部分３１，３１（図３（Ｂ））は若干円弧状面に形成されているため、該両側縁部分３１，３１が該後面部３０に無理な押圧状態となることがない。この押圧状態で、図８に示すように、内支柱部３が外支柱部２に固定されることになる。この固定は、従来のように押圧係合部４２が内支柱部３の後面部３０を直接的に押圧して得られるのではなく、内支柱部３の後面部３０に無理なく当接する押圧片２２を該後面部３０に向けて間接的に押圧して得られるため、該押圧係合部４２が内支柱部３を損傷する恐れがない。又この状態で、該側部レバー１６の上向き回動が重くなるため、該側部レバー１６が不用意に上向きに回動する恐れがない。
【００２２】
この状態から該側部レバー１６を、前記支柱５の外面から離れるように上向きに回動させると、図５に示すように、該押圧係合部４２が前記押圧片２２から離れ、前記押圧片２２による前記内支柱部３の押圧状態が解除され、該押圧片２２が当初の状態に弾性的に復帰する。これにより、内支柱部３が外支柱部２に対してスライド自在となる。
【００２３】
又前記支持バー１１は、本実施例においては図９〜１０に示すように、その横断面が縦長の長方形状をなす、ガラス繊維製の横長棒状に形成されており、幟９の上部１０の両端と中央部に設けた上部ループ片４９，４９，４９を挿通して該上部１０を支持するものであり、該支持バー１１の先端には、先端の上部ループ片４９ａを抜止めするループ片抜止め部５０が設けられている。
【００２４】
又、前記支持バー固定具１２は、例えばＡＢＳ樹脂を以て形成されており、図１０〜１２に示すように、下面５１が水平を呈する球形状に形成された固定具本体５２の該下面５１の中央部分に、前記内支柱部３の上端部分に挿入される軸部５３が突設されており、該軸部５３の下端には、該軸部の径よりも稍大径であり前記内支柱部３の内径よりも若干小径の抜け止め鍔部５５が設けられている。そして、前記下面５１と該抜け止め鍔部５５との間に保持筒５６（図１１）が配設されている。該保持筒５６は、図１４に示すように、前記内支柱部３の上端部分の内周面５７に外周面５９が弾性的に圧接される、割り溝６０が設けられた横断面Ｃ字状を呈する。該保持筒５６の長さは、前記抜け止め鍔部５５と前記下面５１との間の間隔よりも稍小さい長さに設定されている。そして該保持筒５６に前記軸部５３が遊挿状態となっている。
【００２５】
然して、該保持筒５６が前記内支柱部３の上端部分に挿入された状態で、該保持筒５６は、図１４に示すように、その外周面５９が該上端部分の内周面５７に弾性的に圧接状態となって該内支柱部３に固定され、この状態で、前記固定具本体５２は内支柱部３の軸線回りに回転し得る。
【００２６】
そして図１１に示すように、前記球形状を呈する固定具本体５２の下側部分に、前記支持バー１１を横方向に挿通させる挿通孔部６１が貫設されると共に、該挿通孔部６１の上側に位置させて、後端６２から前端６３に向けて溝幅が稍拡大する嵌入溝部６５が該挿通孔部６１と平行する状態で設けられており、該嵌入溝部６５の溝底部６６に、その稍後側に位置させて、前記挿通孔部６１に連通する開口部６７が設けられている。又、該嵌入溝部６５の前側部分には山形の係合突部７０が設けられており、該係合突部７０の後側に存する傾斜上面は、上部レバー７１の回動角度を規制する係合面７２とされている。
【００２７】
そして該嵌入溝部６５には、上下方向に回動可能な該上部レバー７１が枢着されており、該上部レバー７１が下向きに回動して倒れた状態で、図１０に示すように、その上面７３が、前記固定具本体５２の球面７５に連なる球面を呈する如く形成されている。
【００２８】
該上部レバー７１は、本実施例においては図１２に示すように、先側部分７７が基端側７９よりも幅広に形成された扇形に形成されており、該先側部分７７の上面７３には、滑り止め用の溝線８０が並設されている。そして、該先側部分７７は、図１２（Ｃ）に示すように、下方に開放した箱状を呈しており、その両側壁部８１，８１の下端面８２，８２が、前記係合面７２と当接することにより、該上部レバー７１が前記嵌入溝部６５に嵌め入れられた状態となり、該上部レバー７１の上面７３が、図１０に示すように、前記固定具本体５２の球面７５に連なる。
【００２９】
又、該上部レバー７１の基端側には、図１２、図１４に示すように、該上部レバー７１が下向きに倒れた状態で下面８３が円弧面状を呈する円柱状部８４が設けられており、該円柱状部８４の軸線に沿って挿通孔８５が横方向に貫設されている。そして該円柱状部８３の円弧状を呈する下面８３の下端に、該挿通孔８５と平行して、断面半円弧状を呈する突条としての押圧突部８６が突設されている。
【００３０】
かかる構成を有する上部レバー７１は、図１４（Ａ）に示すように、前記嵌入溝部６５の両側壁部８１，８１としての、前記開口部６７の上側部分をなす軸受部８７，８７で支持された枢軸８９が、前記挿通孔８５に挿通されることにより、上下方向に回動可能に枢着される。
【００３１】
該上部レバー７１が下向きに回動して倒れた状態で、図１４（Ａ）に示すように、該上部レバー７１は前記嵌入溝部６５に納まり、前記押圧突部８６が、図１４（Ｂ）に示すように、前記開口部６７において、前記挿通孔部６１に挿通された状態にある前記支持バー１１の上面部９０を下方向に押圧し、該支持バー１１が該挿通孔部６１の下端部９１に固定される。この状態で、該上部レバー７１の上向き回動が重くなるため、該上部レバー７１が不用意に上向きに回動する恐れがない。
【００３２】
そして該上部レバー７１が倒れた状態において、図１０、図１４に示すように、その前端９２と前記係合突部７０の前端９３との間に、指先を嵌め入れることのできる凹部９５が形成されるので、該凹部９５に指先を入れて該上部レバー７１を上向きに回動させることによって、図１５（Ａ）に示すように、前記押圧突部８６による前記支持バー１１の押圧状態が解除される。これにより、該支持バー１１をスライドさせて前記支持バー固定具１２から取り外すことができる。
【００３３】
図１は、かかる構成を有する幟竿１の使用状態を示すものであり、前記内支柱部３のスライドによって支柱長さを所要に設定し、その後、前記側部レバー１６を図８に示すように下向きに回動させ、内支柱部３を外支柱部２に対して固定状態（ロック状態）とする。その後、図１に示すように、前記幟９の一方の側部９４の上下端部位及び中間部位に取り付けられた側部ループ片９６の夫々を幟竿１に取り付けるのであるが、その際、各側部ループ片９６，９６，９６に支柱５を通す。本実施例においては図１０に示すように、前記上部レバー７１を倒した状態において前記支持バー固定具１２の上部（前記固定具本体５２の上部）９７が球形状を呈するため、該支持バー固定具１２を該側部ループ片９６に引っ掛かりなく容易に通すことができる。又、前記側部レバー１６が、図８に示すように、下向きに回動して垂下状態にあるために、しかも、該側部レバー１６の上端４３が図８に示すように円弧面に形成されているために、該側部レバー１６を、前記側部ループ片９６の引っ掛かりを生じさせることなく通過させやすい。かかることから、各側部ループ片９６を支柱に通す作業を容易且つ能率的に行うことができる。
【００３４】
そして前記支持バー１１を、図９に示すように、幟９の上縁部に取り付けられた上部ループ片４９の夫々に、その基端９９から通すと共に該支持バー１１の基端側１００を、図１５に示すように、前記上部レバー７１を上向きに回動させることによって形成された前記挿通孔部６１に挿通させ、且つ該幟９の先端の上部ループ片４９ａを、図９に示すように、前記ループ片抜止め部５０に止着させる。
【００３５】
然る後、図１４に示すように前記上部レバー７１を下向きに回動させて倒れた状態にすると、図１４（Ｂ）に示すように、前記押圧突部８６が前記上面部９０を押圧し、該支持バー１１を前記挿通孔部６１の下端部９１に固定状態（ロック状態）にする。これにより該支持バー１１が、前記支持バー固定具１２を介して前記内支柱部３の上端部（支柱の上端部）に固定状態となる。
【００３６】
本実施例においては、前記側部レバー１６が下向きに回動した垂下状態で、前記押圧片２２が図７に示すように前記内支柱部３の後面部３０を押圧するため、幟９が風に煽られて上方向に動いたときにもその側部ループ片９６が該側部レバー１６に引っ掛かりにくく、該側部レバー１６によるロック状態が外れる恐れがない。もしも、下向きに回動した側部レバー１６が横方向や斜め下方に突出した状態で前記押圧片２２が前記内支柱部３の後面部３０を押圧したロック状態が得られるようにしたとすれば、このように幟が上方向に動いたときにその側部ループ片９６が該側部レバー１６に引っ掛かってこれを上向きに回動させることによってロック状態が不用意に解除される恐れがあるが、これを防止できるのである。
【００３７】
又前記上部レバー７１は、図１０に示すように、下向きに回動して前記嵌入溝部６５（図１２）に納まった状態となるため、前記幟９が風に煽られて支柱に巻き付いたりしたときにも該幟９によって前記上部レバー７１が上向きに回動してそのロック状態が外れるといった恐れがない。もしも、上部レバー７１が斜め上方に突出してロック状態が得られるようにしたとすれば、該上部レバー７１が上向きに回動してロック状態が不用意に解除される恐れがあるが、これを防止できるのである。
【実施例２】
【００３８】
本考案は、前記実施例で示したものに限定されるものでは決してなく、「実用新案登録請求の範囲」の記載内で種々の設計変更が可能であることはいうまでもない。その一例を挙げれば次のようである。
【００３９】
(1) 前記支柱固定具６を構成する前記側部レバー１６は、図１６に示すように、支柱５の外面に近接するように上向きに回動して真上に突出した状態で前記押圧係合部４２が押圧片２２の後面２７を押圧し、該押圧片２２が前記内支柱部３の後面部３０を押圧して前記ロック作用が得られるように構成してもよい。この場合、図１６に示すように、該押圧片２２の上端１０１を、前記開口１９の上端縁部１０２に連結部２６を介して連結するのがよい。
【００４０】
又、該支柱固定具６は、図１７に示すように、該側部レバー１６を支柱２の外面に近接するように周方向に回動可能とし、該外面に重なりあった閉じた状態で前記ロック作用が得られるように構成してもよい。このように周方向で回動可能とする場合は、図１７に示すように、前記押圧片２２の側縁を、前記開口１９の側縁部に連結部２６を介して連結するのがよい。
【００４１】
(2) 前記押圧片２２による前記内支柱部３の後面部３０の押圧状態は、設定された支柱長さを固定できるように押圧片の前面２９が該後面部３０を押圧するように設定されればよいのであり、前記のように該円弧状の前面２９が面接触状態で該後面部３０を押圧するものに特定されない。該前面２９の中央部分や両側部分等、該前面２９の一部分が該後面部３０を押圧するように構成されてもよい。
【００４２】
(3) 前記外支柱部２と前記内支柱部３の断面形態は、前記したような円形には限られず、楕円形等に構成されてもよい。
【００４３】
(4) 前記支持バー固定具１２に設ける嵌入溝部６５は、前記実施例においては挿通孔部６１と平行状態に設けられているが、上部レバー７１を倒した際に支持バー１１を固定できるロック作用が得られる限り、該挿通孔部６１の延長方向と直角方向等、該挿通孔部６１と平行しない状態に形成されてもよい。
【００４４】
(5) 図１８は、前記支持バー固定具１２を構成する固定具本体５２の上面１０９を水平面に形成した場合を示すものであり、嵌入溝部６５が同様に設けられており、上部レバー７１が下向きに回動して倒れた状態で、該上部レバー７１の上面１１０が固定具本体５２の上面１０９と略面一状態を呈している。
【００４５】
(6) 倒された状態にある上部レバー７１を上向きに回動させる際、倒された状態にある該上部レバー７１の先端部分を前記固定具本体５２から稍突出した状態とし、該突出した部分に指先や指の腹を当てて該上部レバー７１を上向きに回動させるように構成してもよい。
【図面の簡単な説明】
【００４６】
【図１】本考案に係る幟竿をその使用状態で示す斜視図と部分断面図である。
【図２】幟竿を構成する支柱と支柱固定具を示す斜視図である。
【図３】支柱固定具の構成を説明する斜視図である。
【図４】支柱固定具の構成を示す断面図である。
【図５】支柱固定具を支柱に取り付けた状態を、固定解除状態で示す断面図である。
【図６】支柱固定具による支柱固定直前の状態を示す断面図である。
【図７】支柱固定具で支柱を固定した状態を示す断面図である。
【図８】支柱固定具で支柱を固定した状態を示す斜視図である。
【図９】幟竿の使用状態を上端側で示す斜視図である。
【図１０】幟を支持する支持バーを支柱に固定した状態を示す斜視図である。
【図１１】支持バー固定具の構成を説明する斜視図である。
【図１２】支持バー固定具の構成を説明する分解斜視図である。
【図１３】支持バー固定具を構成する固定具本体の構成を示す断面図である。
【図１４】支持バー固定具により支持バーを固定した状態を示す断面図である。
【図１５】支持バー固定具の非固定状態を示す断面図である。
【図１６】支柱固定具のその他の態様を支柱固定状態で示す断面図である。
【図１７】支柱固定具のその他の態様を支柱固定状態で示す断面図である。
【図１８】支持バー固定具の他の態様を示す斜視図である。
【図１９】従来の幟竿をその使用状態で示す斜視図である。
【図２０】従来の幟竿における固定具の支柱固定状態と支柱固定解除状態を示す断面図である。
【図２１】その固定具の構成を示す分解斜視図である。
【図２２】従来における支持バーの取り付け手段を示す分解斜視図である。
【図２３】支持バーを支柱に固定した状態を示す断面図である。
【符号の説明】
【００４７】
１  幟竿
２  外支柱部
３  内支柱部
５  支柱
６  支柱固定具
９  幟
１１  支持バー
１２  支持バー固定具
１５  筒体
１６  側部レバー
１７  後壁部
１９  開口
２０  下筒部
２１  上筒部
２２  押圧片
２６  連結部
４２  押圧係合部
５２  固定具本体
７１  上部レバー
８６  押圧突部
【図１】
0003143945.tif 000003
【図２】
0003143945.tif 000004
【図３】
0003143945.tif 000005
【図４】
0003143945.tif 000006
【図５】
0003143945.tif 000007
【図６】
0003143945.tif 000008
【図７】
0003143945.tif 000009
【図８】
0003143945.tif 000010
【図９】
0003143945.tif 000011
【図１０】
0003143945.tif 000012
【図１１】
0003143945.tif 000013
【図１２】
0003143945.tif 000014
【図１３】
0003143945.tif 000015
【図１４】
0003143945.tif 000016
【図１５】
0003143945.tif 000017
【図１６】
0003143945.tif 000018
【図１７】
0003143945.tif 000019
【図１８】
0003143945.tif 000020
【図１９】
0003143945.tif 000021
【図２０】
0003143945.tif 000022
【図２１】
0003143945.tif 000023
【図２２】
0003143945.tif 000024
【図２３】
0003143945.tif 000025